(57)【要約】【課題】  巻き尺の全体の美観を損なうことなく、巻き尺を保持する指のスリップを防止することが可能な巻き尺を提供する。【解決手段】巻き尺（１００）は、ケース本体（１１０）と、ケース本体（１１０）の内部に収納され、ケース本体（１１０）の内部から外部に引き出し可能であるとともに、ケース本体（１１０）の外部から内部に巻き取り可能なスケール（１２０）と、を備える。ケース本体（１１０）の両側面には当該側面の中心（１１１）を頂点とする錐形状の凹部（１１２）が形成されている。【選択図】  図１
0003188510.tif 000002
【実用新案登録請求の範囲】
【請求項１】
ケース本体と、
前記ケース本体の内部に収納され、前記ケース本体の内部から外部に引き出し可能であるとともに、前記ケース本体の外部から内部に巻き取り可能なスケールと、
を備える巻き尺において、
前記ケース本体の両側面の少なくとも何れか一方の側面には錐形状の凹部または凸部が形成されていることを特徴とする巻き尺。
【請求項２】
横断面が円形であるケース本体であって、
前記ケース本体の両側面の少なくとも何れか一方の側面には錐形状の凹部または凸部が形成されているケース本体。
【考案の詳細な説明】
【技術分野】
【０００１】
本考案は巻き尺に関する。
【背景技術】
【０００２】
図４は特許第４０３３９９５号公報に記載されている巻き尺１０の斜視図である。
【０００３】
巻き尺１０は、ほぼ円柱形状のケース本体１１と、ケース本体１１の内部に収納され、ケース本体１１の内部から外部に引き出し可能であるとともに、ケース本体１１の外部から内部に巻き取り可能なスケール１２と、を備えている。
【０００４】
ケース本体１１には開口部１１Ａが形成されており、スケール１２は開口部１１Ａを介してケース本体１１の内部から外部に引き出され、あるいは、ケース本体１１の外部から内部に巻き取られる。
【０００５】
スケール１２の先端には、スケール１２を把持するための係止片１３が取り付けられている。
【０００６】
ケース本体１１の側面には円柱形の凹部１１Ｂが形成されており、凹部１１Ｂには小型巻き尺１４または磁石１５を嵌め込むことが可能である。
【０００７】
このように、巻き尺１０は、凹部１１Ｂに他の機能を有する器具を嵌め込むことにより、長さを測定する機能の他に、もう一つの機能（例えば、磁石１５を嵌め込んだ場合には、方位を測定する機能）を有することが可能になっている。
【先行技術文献】
【特許文献】
【０００８】
【特許文献１】特許第４０３３９９５号公報
【考案の開示】
【考案が解決しようとする課題】
【０００９】
巻き尺１０においては、凹部１１Ｂに小型巻き尺１４または磁石１５を嵌め込むと、ケース本体１１の側面は平坦な面となる。このため、従来の巻き尺１０においては、ケース本体１１の両側面を親指と人指し指で挟み込んでスケール１２を引き出す際に、親指または人指し指が滑ってしまい、スケール１２を引き出すことに失敗するという問題点があった。
【００１０】
親指または人指し指が滑ることを防止するために、ケース本体１１の両側面に突起部を形成し、親指または人指し指のスリップを防止することも可能であるが、そのような突起部を形成すると、巻き尺１０の全体としての美観を損なう原因となる。
【００１１】
本考案はこのような従来の巻き尺１０における問題点に鑑みてなされたものであり、巻き尺の全体の美観を損なうことなく、巻き尺を保持する指のスリップを防止することが可能な巻き尺を提供することを目的とする。
【課題を解決するための手段】
【００１２】
上記の目的を達成するため、本考案は、ケース本体と、前記ケース本体の内部に収納され、前記ケース本体の内部から外部に引き出し可能であるとともに、前記ケース本体の外部から内部に巻き取り可能なスケールと、を備える巻き尺において、前記ケース本体の両側面の少なくとも何れか一方の側面には錐形状の凹部または凸部が形成されていることを特徴とする巻き尺を提供する。
【００１３】
前記錐形状は前記側面の中心を頂点とするものであることが好ましい。
【００１４】
さらに、本考案は、横断面が円形であるケース本体であって、前記ケース本体の両側面の少なくとも何れか一方の側面には錐形状の凹部または凸部が形成されているケース本体を提供する。
【考案の効果】
【００１５】
本考案に係る巻き尺によれば、ケース本体の側面にスリップ防止のための突起部その他の形状を形成する必要はなく、ケース本体の側面を自然な形状に維持したまま、巻き尺を保持する指のスリップを防止することができる。
【００１６】
さらに、ケース本体の側面に突起部その他の形状を形成しないため、巻き尺の全体の美観を損なうこともない。
【図面の簡単な説明】
【００１７】
【図１】本考案の第一の実施形態に係る巻き尺の斜視図である。
【図２】図１のＡ−Ａ線におけるケース本体の断面図である。
【図３】本考案の第二の実施形態に係る巻き尺のケース本体の断面図（図２の断面図に対応するもの）である。
【図４】従来の巻き尺の斜視図である。
【考案を実施するための形態】
【００１８】
（第一の実施形態）
図１は本考案の第一の実施形態に係る巻き尺１００の斜視図である。
【００１９】
本実施形態に係る巻き尺１００は、円柱形のケース本体１１０と、スケール１２０と、を備えている。
【００２０】
ケース本体１１０にはスケール巻き取り機構（図示せず）が内蔵されており、このスケール巻き取り機構を介してスケール１２０はケース本体１１０の内部から外部に引き出し可能であるとともに、ケース本体１１０の外部から内部に巻き取り可能であるようになっている。
【００２１】
図２は図１のＡ−Ａ線におけるケース本体１１０の断面図である。
【００２２】
図２に示すように、ケース本体１１０の両側面には、当該側面の中心１１１を頂点とする円錐形状の凹部１１２が形成されている。
【００２３】
凹部１１２の深さは比較的小さい値に設定されている。
【００２４】
以上のような構造を有する本実施形態に係る巻き尺１００によれば、ケース本体１１０の側面にスリップ防止のための突起部その他の形状を形成する必要はなく、ケース本体１１０の側面を自然な形状に維持したまま、巻き尺１００を保持する指のスリップを防止することができる。
【００２５】
さらに、ケース本体１１０の側面に突起部その他の形状を形成しないため、巻き尺１００の全体の美観を損なうこともない。
【００２６】
本実施形態に係る巻き尺１００は上記の構造に限定されるものではなく、種々の改変を加えることが可能である。
【００２７】
例えば、本実施形態に係る巻き尺１００においては、ケース本体１１０の両側面に円錐形状の凹部１１２が形成されているが、何れか一方の側面にのみ凹部１１２を形成することも可能である。
【００２８】
また、本実施形態に係る巻き尺１００においては、ケース本体１１０は円柱形状に形成されているが（従って、ケース本体１１０の両側面は円形）、ケース本体１１０の形状は円柱形状には限定されない。多角柱、楕円柱、断面が直線を組み合わせた形状の柱、断面が曲面を組み合わせた形状の柱あるいは断面が直線と曲線とを組み合わせた形状の柱とすることが可能である。
【００２９】
また、本実施形態に係る巻き尺１００においては、凹部１１２をケース本体１１０の側面の中心１１１を頂点とする円錐形状として構成しているが、ケース本体１１０の側面の中心１１１を凹部１１２の頂点とすることは必ずしも必要ではない。ケース本体１１０の側面の中心１１１と凹部１１２の頂点とを一致させずに、凹部１１２を偏心した円錐形状とすることも可能である。
【００３０】
（第二の実施形態）
図３は本考案の第二の実施形態に係る巻き尺２００のケース本体の断面図（図２の断面図に対応するもの）である。
【００３１】
第一の実施形態に係る巻き尺１００においては、ケース本体１１０の両側面に円錐形状の凹部１１２が形成されているのに対して、本実施形態に係る巻き尺２００においては、ケース本体１１０の両側面に円錐形状の凸部２１２が形成されている。
【００３２】
本実施形態に係る巻き尺２００によっても、第一の実施形態に係る巻き尺１００と同様の効果を得ることができる。
【００３３】
上述の第一及び第二の実施形態におけるケース本体１１０は巻き尺のみならず、巻き尺に類似する形状を有する他の道具類に使用することも可能である。例えば、工具用のリール、釣り用のリールなどのケースとして使用することも可能である。
【符号の説明】
【００３４】
１００  本考案の第一の実施形態に係る巻き尺
１１０  ケース本体
１１１  ケース本体の側面中心
１１２  凹部
１２０  スケール
２００  本考案の第二の実施形態に係る巻き尺
２１２  凸部
【図１】
0003188510.tif 000003
【図２】
0003188510.tif 000004
【図３】
0003188510.tif 000005
【図４】
0003188510.tif 000006
【手続補正書】
【提出日】平成25年11月18日(2013.11.18)
【手続補正１】
【補正対象書類名】実用新案登録請求の範囲
【補正対象項目名】請求項２
【補正方法】変更
【補正の内容】
【請求項２】
前記ケース本体の横断面は円形である請求項１に記載の巻き尺。
【手続補正２】
【補正対象書類名】明細書
【補正対象項目名】００１４
【補正方法】変更
【補正の内容】
【００１４】
前記ケース本体の横断面は円形であることが好ましい。